(57)【要約】【目的】  各種構成部材の破損を招来することなく遊技機を所望のねかせ角度に調整することができる遊技機の設置構造を提供する。【解決手段】  ベース板１０１上で外枠９の前面を支持板１２０によって支持し、この状態から挟持移動軸１２２によって外枠９の裏面に前方への押圧力を加えて支持板１２０と挟持移動軸１２２との間で外枠９を挟持する。そして、スライド移動機構１０２によってベース板１０１を前後方向にスライド移動させることで、遊技機の傾斜角度（ねかせ角度）を調整する。これにより、外枠９の下側部分を強引に移動させることなく、スライド移動機構１０２によってスライド移動させた分だけ遊技機の傾斜角度を変更することができるので、各種構成部材の破損を招来することなく遊技機を所望のねかせ角度に調整することができる。【選択図】        図１６
2011217799.tif 000002
【特許請求の範囲】
【請求項１】
遊技島台に設けられる上部島枠と下部島枠との間に設置される遊技機の外枠の上側部分を固定する遊技機固定装置と、前記外枠の下側部分を前記下部島枠に対して前後方向にスライド移動可能に取り付けることで前記遊技機の傾斜角度を調整する傾斜角度調整装置と、を備えた遊技機の設置構造において、
前記傾斜角度調整装置は、
前記下部島枠の上方にスライド移動可能に配置されるベース板と、
該ベース板上に前記外枠の下側部分を固定する外枠固定手段と、
前記ベース板を前後方向にスライド移動させるスライド移動手段と、を備え、
前記外枠固定手段は、
前記ベース板上に固定されて前記外枠の前面を支持する支持板と、
前記外枠の裏面に対する前方への押圧及びその押圧解除が可能に前記ベース板上に取り付けられて、前記支持板との間で前記外枠を挟持する押圧挟持部材と、から構成されることを特徴とする遊技機の設置構造。
【請求項２】
前記ベース板、前記外枠固定手段、及び前記スライド移動手段は、それぞれ前記外枠の下辺部分の上面よりも下方位置に配置されることを特徴とする請求項１記載の遊技機の設置構造。
【請求項３】
前記ベース板には、前記遊技機の裏面側に配置されて当該遊技機から排出される使用済みのパチンコ球を回収するアウト玉回収箱を固定するための固定板部が設けられることを特徴とする請求項１又は請求項２記載の遊技機の設置構造。
【請求項４】
前記ベース板の上面には、前記外枠固定手段が複数並設されることで、当該複数の外枠固定手段と対応した複数の前記外枠が並列して取り付けられることを特徴とする請求項１乃至請求項３のいずれかに記載の遊技機の設置構造。
【請求項５】
前記傾斜角度調整装置は、
前記下部島枠の上面に配置されると共に前記ベース板を上面に複数並設するジョイント基板と、
該ジョイント基板を前記下部島枠に対して前後方向にスライド移動させるジョイントスライド移動手段と、を備え、
前記外枠固定手段及び前記スライド移動手段は、それぞれ前記ジョイント基板上に並設される前記複数のベース板と対応して複数設けられ、
前記スライド移動手段は、前記ベース板を前記ジョイント基板に対して前後方向にスライド移動させることを特徴とする請求項１乃至請求項３のいずれかに記載の遊技機の設置構造。
【発明の詳細な説明】
【技術分野】
【０００１】
本発明は、遊技島台に設けられる上部島枠と下部島枠との間に設置される遊技機の外枠の上側部分を固定する遊技機固定装置と、前記外枠の下側部分を前記下部島枠に対して前後方向にスライド移動可能に取り付けることで前記遊技機の傾斜角度を調整する傾斜角度調整装置と、を備えた遊技機の設置構造に関するものである。
【背景技術】
【０００２】
従来、一般に、遊技島台に列設されるパチンコ機等の遊技機は、遊技島台に設けられる長尺板状の上部島枠と下部島枠との間に設置され、この上部又は下部の島枠と遊技機を構成する木製の外枠との間で釘が打ち込まれることにより、前後方向への傾斜角度（所謂「ねかせ角度」）を付けて遊技島台に固定されるようになっていた。ところが、近年では、遊技機を機種交換するサイクルが短くなったことで、遊技機の外枠との間で島枠に釘を打ち込む機会が増加しており、島枠には、釘打ちによって生じた無数の穴が残るようになっていた。このため、新しく遊技機を入れ替えようとしても、島枠に無数の穴が残った状態となり、このような無数の穴が邪魔をして、遊技機を正確に島枠に固定することができないという問題が生じていた。
そこで、外枠に対して押圧力を加える遊技機固定装置を設けることで、島枠を遊技機の外枠との間で釘打ちすることなく、遊技機を固定するようにしたもの（例えば、特許文献１）が提案されている。また、特許文献１に記載の構成によれば、遊技機固定装置によって外枠の上部を固定する一方、外枠の下側部分には、遊技機を前後方向に移動させることで、遊技機のねかせ角度を調整可能にする傾斜角度調整装置が設けられている。
【先行技術文献】
【特許文献】
【０００３】
【特許文献１】特開２００２−１３６７５５号公報（図５、図９）
【発明の概要】
【発明が解決しようとする課題】
【０００４】
ところで、上記特許文献１の傾斜角度調整装置は、上部島枠と下部島枠との間で一側端が回転自在に軸支された回動ブラケットを備えている。そして、この回動ブラケットに側方からスライド装着された遊技機の外枠の上辺部分及び下辺部分がそれぞれ上固定ネジ及び下固定ネジによって固定され、この状態から回動ブラケットの下側裏面に対する調整ネジの前方への押圧を調整することで、外枠（遊技機）の下側部分を前後方向に移動させてねかせ角度を調整するようになっている。また、このような回転ブラケットの開放側に設けられた支持板の上側裏面部分及び下側裏面部分には、それぞれ上部島枠及び下部島枠に固定された各係止部材と係合することで、回転ブラケットの開放側を係止する係止突起が設けられている。
しかしながら、このような構成では、一側が回転自在に軸支され、且つ開放側となる他側が係止された回転ブラケットに対してその裏面側から押圧力を付加することになる。このため、ある程度固定された状態（軸支部分と係止部分に若干の遊びがあるだけの状態）にある回転ブラケットの下側部分を若干移動させることによるねかせ角度の調整となるので、遊技機のねかせ角度が規制されてしまい、結果として、遊技機を所望のねかせ角度に調整できない場合が生じる。また、このような構成において、所望のねかせ角度に調整すべく調整ネジの押圧力を強めて、回転ブラケットの下側部分を強引に移動させようとした場合には、回転ブラケットの軸支部分や係止部分が当該押圧力を直接受けて破損してしまうという欠点がある。
本発明は、上記した事情に鑑みなされたもので、その目的とするところは、各種構成部材の破損を招来することなく遊技機を所望のねかせ角度に調整することができる遊技機の設置構造を提供することにある。
【課題を解決するための手段】
【０００５】
上記した目的を達成するために、請求項１の発明においては、遊技島台に設けられる上部島枠と下部島枠との間に設置される遊技機の外枠の上側部分を固定する遊技機固定装置と、前記外枠の下側部分を前記下部島枠に対して前後方向にスライド移動可能に取り付けることで前記遊技機の傾斜角度を調整する傾斜角度調整装置と、を備えた遊技機の設置構造において、前記傾斜角度調整装置は、前記下部島枠の上方にスライド移動可能に配置されるベース板と、該ベース板上に前記外枠の下側部分を固定する外枠固定手段と、前記ベース板を前後方向にスライド移動させるスライド移動手段と、を備え、前記外枠固定手段は、前記ベース板上に固定されて前記外枠の前面を支持する支持板と、前記外枠の裏面に対する前方への押圧及びその押圧解除が可能に前記ベース板上に取り付けられて、前記支持板との間で前記外枠を挟持する押圧挟持部材と、から構成されることを特徴とする。
【０００６】
また、請求項２の発明においては、請求項１記載の遊技機の設置構造において、前記ベース板、前記外枠固定手段、及び前記スライド移動手段は、それぞれ前記外枠の下辺部分の上面よりも下方位置に配置されることを特徴とする。
【０００７】
また、請求項３の発明においては、請求項１又は請求項２記載の遊技機の設置構造において、前記ベース板には、前記遊技機の裏面側に配置されて当該遊技機から排出される使用済みのパチンコ球を回収するアウト玉回収箱を固定するための固定板部が設けられることを特徴とする。
【０００８】
また、請求項４の発明においては、請求項１乃至請求項３のいずれかに記載の遊技機の設置構造において、前記ベース板の上面には、前記外枠固定手段が複数並設されることで、当該複数の外枠固定手段と対応した複数の前記外枠が並列して取り付けられることを特徴とする。
【０００９】
また、請求項５の発明においては、請求項１乃至請求項３のいずれかに記載の遊技機の設置構造において、前記傾斜角度調整装置は、前記下部島枠の上面に配置されると共に前記ベース板を上面に複数並設するジョイント基板と、該ジョイント基板を前記下部島枠に対して前後方向にスライド移動させるジョイントスライド移動手段と、を備え、前記外枠固定手段及び前記スライド移動手段は、それぞれ前記ジョイント基板上に並設される前記複数のベース板と対応して複数設けられ、前記スライド移動手段は、前記ベース板を前記ジョイント基板に対して前後方向にスライド移動させることを特徴とする。
【発明の効果】
【００１０】
請求項１の発明においては、遊技機の外枠に対してその上側部分を遊技機固定装置で固定する。一方、外枠の下側部分に対しては、傾斜角度調整装置を構成するベース板上で外枠の前面を支持板によって支持し、この状態から押圧挟持部材によって外枠の裏面に前方への押圧力を加えて支持板と押圧挟持部材との間で外枠を挟持する。そして、スライド移動手段によってベース板を前後方向にスライド移動させることで、遊技機の傾斜角度（ねかせ角度）を調整する。これにより、外枠の下側部分を強引に移動させることなく、スライド移動手段によってスライド移動させた分だけ遊技機の傾斜角度を変更することができるので、各種構成部材の破損を招来することなく遊技機を所望のねかせ角度に調整することができる。
【００１１】
また、請求項２の発明においては、外枠の下側部分を下部島枠に対して前後方向にスライド移動可能に取り付けるベース板、外枠固定手段、及びスライド移動手段を、それぞれ外枠の下辺部分の上面よりも下方位置に配置することで、外枠の下辺部分の上面位置となる遊技機の下側裏面に後方へ突出する構成部材（例えば、スピーカ等）が配置されるような場合であっても、このような構成部材と干渉することなく、遊技機を傾斜角度調整装置に取り付けることができる。
【００１２】
また、請求項３の発明においては、ベース板に設けられた固定板部に、遊技機の裏面側に配置されるアウト玉回収箱を固定することができる。これにより、遊技機のねかせ角度を調整する際にベース板が後方へスライド移動するような場合、このベース板の後方へのスライド移動に伴ってアウト玉回収箱も同様に後方へスライド移動させることができるので、ベース板がアウト玉回収箱に衝突してアウト玉回収箱を破損させてしまうような不具合を回避することができる。また、このようにベース板とアウト玉回収箱との衝突を回避することで、アウト玉回収箱に不要な振動を与えることがないので、アウト玉回収箱に玉計数機能を持たせた構成（例えば、リードスイッチと歯車からなる玉計数器を備えた構成）とした場合でも、不要な振動によって誤計数することを回避できる。
【００１３】
また、請求項４の発明においては、ベース板の上面に複数の外枠固定手段を並設することで、ベース板上に当該複数の外枠固定手段と対応した複数の外枠、言い換えれば複数の遊技機を並列して取り付ける。これにより、スライド移動手段によってベース板を前後方向にスライド移動させることで、複数の遊技機のねかせ角度を一括して同時に調整することができる。
【００１４】
また、請求項５の発明においては、下部島枠上に配置されたジョイント基板に複数のベース板を並設すると共に、当該複数のベース板と対応させて外枠固定手段及びスライド移動手段をそれぞれ複数設けて、スライド移動手段によって個々のベース板をジョイント基板に対して前後方向にスライド移動させることで、複数の遊技機のねかせ角度を個々に調整することができる。さらには、ジョイントスライド移動手段によってジョイント基板を下部島枠に対して前後方向にスライド移動可能に設けることで、複数の遊技機のねかせ角度を一括して同時に調整することも可能になる。
【図面の簡単な説明】
【００１５】
【図１】遊技島台の内部構造の一部と玉貸機、外枠、及び間仕切りを示す斜視図である。
【図２】玉貸機、外枠、及び間仕切りが取り付けられた遊技島台の内部構造の一部を示す斜視図である。
【図３】遊技機固定装置を示す正面図である。
【図４】同図（Ａ）は押圧固定部材を構成する揺動体及び押込板を示す上方からの斜視図であり、同図（Ｂ）は押圧固定部材を構成する揺動体及び押込板を示す下方からの斜視図である。
【図５】遊技機固定装置によって遊技機を固定した状態を示す側面視の縦断面図である。
【図６】遊技機固定装置によって遊技機を固定した状態を示す正面視の縦断面図である。
【図７】同図（Ａ）は固定爪が突設された押込板を示す下面図であり、同図（Ｂ）は変形例の固定爪が突設された押込板を示す下面図であり、同図（Ｃ）は変形例の固定爪が突設された押込板を示す下面図である。
【図８】変形例の固定爪を備えた遊技機固定装置によって遊技機を固定した状態を示す正面視の縦断面図である。
【図９】変形例の押圧固定部材を示す正面図である。
【図１０】変形例の押圧固定部材を示す正面図である。
【図１１】外枠の撓みを防止する撓み防止装置を示す側面視の縦断面図である。
【図１２】外枠の撓みを防止する撓み防止装置を示す側面視の縦断面図である。
【図１３】外枠の撓みを防止する撓み防止装置を示す側面視の縦断面図である。
【図１４】同図（Ａ），（Ｂ）はそれぞれ下部島枠上に設けられた傾斜角度調整装置を示す斜視図である。
【図１５】同図（Ａ），（Ｂ）はそれぞれ下部島枠上に設けられた傾斜角度調整装置を示す上面図である。
【図１６】同図（Ａ），（Ｂ）はそれぞれ下部島枠上に設けられた傾斜角度調整装置を示す縦断面図である。
【図１７】変形例における傾斜角度調整装置のベース板、スライド移動機構、及び外枠固定機構を示す斜視図である。
【図１８】同図（Ａ），（Ｂ）はそれぞれ変形例における傾斜角度調整装置のジョイント基板を示す斜視図である。
【図１９】変形例における傾斜角度調整装置が下部島枠上に設けられた状態を示す斜視図である。
【図２０】変形例における傾斜角度調整装置が下部島枠上に設けられた状態を示す斜視図である。
【図２１】変形例における傾斜角度調整装置が下部島枠上に設けられた状態を示す斜視図である。
【発明を実施するための形態】
【００１６】
以下、図面を参照して本発明の実施形態について説明する。先ず、図１及び図２を参照して、本実施形態に係る遊技島台１の概略構成について説明する。図１は、遊技島台１の内部構造の一部と玉貸機２、外枠９、及び間仕切り８を示す斜視図である。図２は、玉貸機２、外枠９、及び間仕切り８が取り付けられた遊技島台１の内部構造の一部を示す斜視図である。
【００１７】
図１及び図２に示すように、遊技島台１には、複数の遊技機（図示しない）を取り付けるための上部島枠４と、下部島枠５と、がそれぞれ遊技機の高さ寸法とほぼ同一の間隔をあけて当該遊技島台１の長手方向に沿って掛け渡されている。下部島枠５の前端側は、遊技者が玉箱などを載置するためのいわゆるカウンター板６として突設されている。上部島枠４は、遊技機の上方であって遊技島台１の内部に配置される図示しない補給樋などを覆い隠すための幕板（図示しない）が取り付けられる固定枠のうちの下側の枠としての機能を兼ね備えている。下部島枠５の下方には、遊技島台１の下方内部に設置されて遊技島台１で循環使用されるパチンコ玉を貯留するための貯留タンク（図示しない）などを覆い隠すための腰板（図示しない）が取り付けられる。
【００１８】
上部島枠４と下部島枠５との間には、複数の遊技機間で所定の間隔を設けるための複数の間仕切り８が、遊技機の横幅寸法に当該遊技機に隣接されてパチンコ玉の貸し出しを制御する玉貸機２の横幅寸法を加えた値とほぼ同一の間隔をあけて取り付けられている。そして、図２に示すように、上部島枠４、下部島枠５、及び隣接する２本の間仕切り８によって区画された空間が１台の遊技機を設置するための設置空間１０として構成されている。なお、図２中には、木製材料から形成されて遊技機内枠（図示しない本体枠や遊技盤から構成される部材）の外周部分を覆う矩形状の外枠９と、該外枠９の下辺前面に取り付けられる装飾カバー板１１と、外枠９の一側上下に取り付けられて本体枠を外枠９に対して開閉自在に軸支する金属製の上下の各開閉軸１２，１３と、外枠９の下辺部分に取り付けられるスピーカ１７と、遊技機（外枠９）に隣接して設けられる玉貸機２と、が設置空間１０に取り付けられた状態を図示している。また、遊技機は、装飾カバー板１１、開閉軸１２，１３、及びスピーカ１７が取り付けられた外枠９と、該外枠９内に取り付けられる遊技機内枠とから構成されるものである。
【００１９】
また、設置空間１０を区画形成する上部島枠４には、遊技機を当該設置空間１０内に固定するための遊技機固定装置２０が左右２箇所に取り付けられている。一方、設置空間１０を区画形成する下部島枠５の上面には、当該設置空間１０内に設置される遊技機の前後方向への傾斜角度（所謂「ねかせ角度」）を調整するための傾斜角度調整装置１００が取り付けられている。
【００２０】
次に、遊技機固定装置２０の構成について、図３乃至図６を参照して説明する。図３は、遊技機固定装置２０を示す正面図である。図４（Ａ）は、押圧固定部材３０を構成する揺動体３２及び押込板３５を示す上方からの斜視図であり、図４（Ｂ）は、押圧固定部材３０を構成する揺動体３２及び押込板３５を示す下方からの斜視図である。図５は、遊技機固定装置２０によって遊技機を固定した状態を示す側面視の縦断面図である。図６は、遊技機固定装置２０によって遊技機を固定した状態を示す正面視の縦断面図である。
【００２１】
図３に示すように、遊技機固定装置２０は、金属製の長板形状をなして当該遊技機固定装置２０を上部島枠４に取り付け固定する基板部材２１と、該基板部材２１に対して上下方向に移動可能に設けられる上下移動軸２２と、該上下移動軸２２の下端部分に着脱自在に取り付けられる押圧固定部材３０と、を備えている。
【００２２】
基板部材２１の両端側となる左右２箇所には、上部島枠４に穿設された貫通穴１４（図５参照）に対して当該基板部材２１をボルト２３ａ及びナット２３ｂで固定するための取付穴２４が穿設されている。また、基板部材２１のほぼ中央部分には、上下移動軸２２を挿通するための挿通穴２５が穿設されており、該挿通穴２５の上側部分には、上下移動軸２２の後述する雄ネジ部２２ａと螺合する雌ネジ部２６ａを形成した螺合ナット２６（螺合部）が基板部材２１と一体的に設けられている。
【００２３】
上下移動軸２２は、雄ネジ部２２ａが形成されたボルトから構成され、その上端部分には、当該上下移動軸２２を回転操作するための操作部２７が設けられている。そして、操作部２７を回転操作することによって、螺合ナット２６の雌ネジ部２６ａに対して雄ネジ部２２ａを捻じ込み又は捻じ込み解除することで、基板部材２１に対する上下移動軸２２の下方向又は上方向への移動が行われるようになっている。一方、上下移動軸２２の下端部分には、押圧固定部材３０を着脱自在に取り付けるための雌ネジ部２２ｂが軸芯内部に形成されている。なお、押圧固定部材３０は、基板部材２１の挿通穴２５を挿通した上下移動軸２２の下端（雌ネジ部２２ｂ）に取り付けられる。
【００２４】
押圧固定部材３０は、上下移動軸２２の雌ネジ部２２ｂと螺合する雄ネジ部３１ａが形成された取付軸３１と、該取付軸３１の下端に取り付けられる揺動体３２と、を備えている。取付軸３１の下端には、ネジ（雄ネジ部３１ａ）が切られることなく雄ネジ部３１ａの下端から延長線上に伸びる挿入軸部３１ｂが設けられ、該挿入軸部３１ｂと雄ネジ部３１ａとの境目部分には、揺動体３２の上方への移動を規制するための規制ナット３３（押圧部）が設けられている。なお、押圧固定部材３０は、取付軸３１の雄ネジ部３１ａが上下移動軸２２の雌ネジ部２２ｂ内に捻じ込まれて、規制ナット３３を上下移動軸２２の下端と当接させた状態が上下移動軸２２に対する完全な取り付け状態となる（図５及び図６参照）。また、このように、本実施形態では、上下移動軸２２に対する取付軸３１の螺合によって、押圧固定部材３０を上下移動軸２２に着脱自在な構成としている。このため、押圧固定部材３０（特には、後述する外枠９にくい込むことで破損が生じ易い固定爪３６）が破損するような場合があっても、遊技機固定装置２０全体を取り替える必要はなく、押圧固定部材３０だけを取り替えるだけでよい。
【００２５】
揺動体３２は、図４（Ａ），（Ｂ）に示すように、碗形状に形成されており、その上端中央部分には、取付軸３１の挿入軸部３１ｂを若干の遊びを持って挿入するための挿入穴３２ａが穿設されている。そして、取付軸３１の挿入軸部３１ｂが揺動体３２の挿入穴３２ａに挿入され、その下端部分に止め具３４が取り付けられることで、取付軸３１の下端に揺動体３２が揺動自在に取り付けられる。また、碗形状をなす揺動体３２の下端外周には、全周に亘って鍔状フランジ部３２ｂが形成されており、該鍔状フランジ部３２ｂの下面には、鍔状フランジ部３２ｂの外形形状とほぼ同一となる円盤形状の押込板３５が一体的に取り付けられる。押込板３５の下面には、その中心点から四方へそれぞれ等間隔を置いた位置に４つの固定爪３６が突設されている（図７（Ａ）参照）。
【００２６】
しかして、上記した遊技機固定装置２０は、図５及び図６に示すように、基板部材２１に穿設された左右の取付穴２４が上部島枠４側の左右の貫通穴１４と個々にボルト２３ａ及びナット２３ｂで共締めされることにより、上部島枠４に固定して取り付けられる。また、上部島枠４には、当該上部島枠４に遊技機固定装置２０を取り付けた状態で、上下移動軸２２及びその下端に設けられた押圧固定部材３０を挿通する貫通穴１５が左右の貫通穴１４間に穿設されている。
【００２７】
ここで、遊技機固定装置２０により遊技機の上部を固定する方法について説明する。先ず、設置空間１０内の下部島枠５上に遊技機を載置する。この状態から、上部島枠４に固定された遊技機固定装置２０の操作部２７を回転操作することで、上下移動軸２２の雄ネジ部２２ａを螺合ナット２６の雌ネジ部２６ａに螺合させて、上下移動軸２２を上部島枠４に固定された基板部材２１に対して下方に移動させる。そして、このような操作部２７の回転操作に伴う上下移動軸２２の下方への移動を継続することで、上下移動軸２２の下端に設けられた押圧固定部材３０（押込板３５の固定爪３６）が遊技機を構成する外枠９の上辺部分の上面と当接し、さらに、上下移動軸２２を下方へ移動させることにより、押込板３５の固定爪３６が木製の外枠９にくい込んで押込板３５が外枠９の上面を押さえ込んだ状態となって遊技機を設置空間１０内に固定する。
【００２８】
ところで、上記したように上下移動軸２２の下方移動に伴って押圧固定部材３０（押込板３５の固定爪３６）が遊技機の外枠９を固定する際、押圧固定部材３０の揺動体３２は、固定爪３６が外枠９と当接していても挿入穴３２ａの外周部分が規制ナット３３と当接していない状態では、押圧固定部材３０の取付軸３１、言い換えれば上下移動軸２２に対して揺動自在な状態にある。その後、固定爪３６が徐々に外枠９にくい込んでいくに連れて、揺動体３２における挿入穴３２ａの外周部分が規制ナット３３に押し込まれていき、最終的に、揺動体３２は、上下移動軸２２と外枠９との間に挟持されて完全に固定された状態となる。
【００２９】
従って、揺動体３２の下端に設けられた固定爪３６は、外枠９と当接した状態であっても揺動体３２が揺動自在なときには、外枠９にくい込むことはない。即ち、遊技機固定装置２０による遊技機の固定状態を強固なものとする押圧固定部材３０の固定爪３６は、揺動体３２における挿入穴３２ａの外周部分が規制ナット３３に押し込まれるまでの間で遊びをもって外枠９と当接することになり、その遊びをもった当接状態の期間で、外枠９へのくい込みが最も効果的に行われる位置に移動されるようになっている。具体的には、図６に示すように、押圧固定部材３０の真下に、木製の外枠９と、金属製の上開閉軸１２の取付フレーム部１２ａと、の境目部分が位置するような場合、固定爪３６は、木製の外枠９にくい込むことができても、金属製の取付フレーム部１２ａにくい込むことがない。このため、押込板３５の下面に突設された４つの固定爪３６は、上下移動軸２２の下方移動に伴う外枠９及び取付フレーム部１２ａとの当接において遊びをもった状態で、４つの固定爪３６のうちより多くの固定爪３６が木製の外枠９にくい込み易い位置へ移動し、最終的に、上下移動軸２２の完全なる締め込み状態（上下移動軸２２が最下方へ移動した状態）で、４つの固定爪３６のうちより多くの固定爪３６が木製の外枠９にくい込んで遊技機を強固に固定するようになっている。なお、このとき、押圧固定部材３０の揺動体３２は、４つの固定爪３６のうち取付フレーム部１２ａにくい込むことなく当接する固定爪３６に対して、残りの固定爪３６を外枠９にくい込ませるため、押込板３５が取付フレーム部１２ａ側から外枠９側へ下り傾斜するように揺動する。
【００３０】
また、遊技機固定装置２０による遊技機の固定状態を解除する場合には、螺合ナット２６に対する上下移動軸２２の捻じ込みを解除する方向に操作部２７を回転操作して、上下移動軸２２を上方へ移動させる。これにより、固定爪３６の外枠９へのくい込みを解除して、遊技機固定装置２０による遊技機の固定状態を解除する。
【００３１】
なお、上記した実施形態では、遊技機固定装置２０を構成する押圧固定部材３０の固定爪３６を、図７（Ａ）に示すように、押込板３５の下面中心点から四方へそれぞれ等間隔を置いた位置に４つ設ける構成としているが、この構成に限定するものではない。例えば、図７（Ｂ）に示すように、押込板３５の下面中心点から四方へそれぞれ等間隔を置いた位置に４つの固定爪３６を設け、さらにその４つの固定爪３６の内側（押込板３５の下面中心点側）に４つの固定爪３６’を設けて、計８個の固定爪３６，３６’から構成するようにしてもよい。なお、内側の固定爪３６’は、図８に示すように、外側の固定爪３６に比べて押込板３５からの突出寸法が短く設定されている。このような構成にすれば、押圧固定部材３０の真下に、木製の外枠９と、金属製の取付フレーム部１２ａと、の境目部分が位置することで、取付フレーム部１２ａと当接して外枠９にくい込まない固定爪３６があるような場合でも、外枠９にくい込む固定爪３６の数を増やすことができるので、より強固に遊技機を固定することができる。また、この場合、内側の固定爪３６’が外側の固定爪３６よりも短く形成されることで、外側の固定爪３６が先に外枠９にくい込み、次いで内側の固定爪３６’が外枠９にくい込むようになっており、内側の固定爪３６’によって外側の固定爪３６のくい込みが妨げられることを回避するようになっている。また、図７（Ｂ）の構成とは逆に、図７（Ｃ）に示すように、押込板３５の下面中心点から三方へそれぞれ等間隔を置いた位置に３つの固定爪３６を設けて、実施形態中に記載した４つの固定爪３６より１つ少ない計３個の固定爪３６から構成するようにしてもよい。
【００３２】
また、上下移動軸２２に対して押圧固定部材３０を着脱自在に取り付ける構成としては、実施形態中に記載のものに限定しない。例えば、押圧固定部材３０を構成する取付軸３１において、必ずしも雄ネジ部３１ａと挿入軸部３１ｂとの境目部分に規制ナット３３を設ける必要はなく、上下移動軸２２で押圧固定部材３０を押し込む構成としてもよい。具体的には、図９に示すように、雄ネジ部３１ａと挿入軸部３１ｂとの境目部分に規制ナット３３を設けない構成とした場合、操作部２７の回転操作に伴う上下移動軸２２の下方移動によって遊技機を固定する際、上下移動軸２２の下端面によって揺動体３２における挿入穴３２ａの外周部分を押し込んで、固定爪３６を外枠９にくい込ませることができる。また、図１０に示すように、雄ネジ部３１ａの断面寸法を挿入軸部３１ｂの断面寸法よりも大きく設定することで、遊技機を固定する際、雄ネジ部３１ａの下端面によって揺動体３２における挿入穴３２ａの外周部分を押し込むようにしてもよい。
【００３３】
ところで、上記した遊技機固定装置２０による遊技機の固定方法は、上下移動軸２２の下方移動に基づいて押圧固定部材３０で外枠９の上辺部分を下方へ押し込むことにより、設置空間１０内に遊技機を固定する構成となっている。しかしながら、このような構成では、外枠９が軽量材料等で形成されて撓みが生じ易い場合には、押圧固定部材３０の押し下げに伴って多少なりとも外枠９の上辺部分が下方へ撓むことになる。そこで、図１１乃至図１３に示す撓み防止装置４０，５０，６０のいずれかを設けることで、遊技機固定装置２０による遊技機の固定に伴う外枠９の撓みを防止するようにしてもよい。図１１は、外枠９の撓みを防止する撓み防止装置４０を示す側面視の縦断面図である。図１２は、外枠９の撓みを防止する撓み防止装置５０を示す側面視の縦断面図である。図１３は、外枠９の撓みを防止する撓み防止装置６０を示す側面視の縦断面図である。
【００３４】
図１１に示す撓み防止装置４０は、巻取スイッチ４２の押圧操作によって巻き取り可能なワイヤ４３を備えて上部島枠４の上面に取り付けられるワイヤ巻取器４１と、上部島枠４の後面に固定され、且つ外枠９の上辺部分に掛け渡されたワイヤ４３の先端リング部４３ａを取り付ける取付フック４４と、から構成されている。しかして、撓み防止装置４０は、外枠９の上辺部分に掛け渡されて先端リング部４３ａが取付フック４４に取り付けられたワイヤ巻取器４１のワイヤ４３を、巻取スイッチ４２の押圧操作によって巻き取ることで、外枠９の上辺部分をその下面側から上方へ押し上げるようになっている。これにより、遊技機固定装置２０による遊技機の固定に伴って生じる外枠９の下方への撓みを防止するようになっている。
【００３５】
図１２に示す撓み防止装置５０は、外枠９の上辺部分に掛け渡されるワイヤ５１と、上部島枠４の後面にビス５３で固定され、且つワイヤ５１の先端リング部５１ａを取り付けるフック部５４が形成された取付ベース５２と、を備えている。取付ベース５２には、ワイヤ５１の他端側を絞り込んで外枠９の上辺部分をその下面側から上方へ押し上げる絞り込み筒５５と、該絞り込み筒５５によるワイヤ５１の絞り込み状態、言い換えれば、外枠９の上辺部分の押し上げ状態を保持する保持部材５６と、が設けられている。しかして、撓み防止装置５０は、外枠９の上辺部分に掛け渡されて先端リング部５１ａがフック部５４に取り付けられたワイヤ５１を、絞り込み筒５５の絞り込み操作によって絞り込んで、外枠９の上辺部分をその下面側から上方へ押し上げるようになっている。これにより、遊技機固定装置２０による遊技機の固定に伴って生じる外枠９の下方への撓みを防止するようになっている。
【００３６】
なお、上記したワイヤ５１は、絞り込み筒５５の絞り込み操作に伴う絞り込みによって、外枠９の上辺部分をその下面側から上方へ押し上げると共に、外枠９の前方への移動を規制するようになっている。然も、取付ベース５２における外枠９の後面と対向する部分には、規制ボルト５７が設けられており、該規制ボルト５７の先端部分には、外枠９の後面と当接することで外枠９の後方への移動を規制する当接規制片５８が設けられている。これにより、撓み防止装置５０は、外枠９の上辺部分における下方への撓みを防止すると共に、外枠９の前後方向でのずれ込みを防止するようになっている。なお、遊技機は、設置空間１０内に設置された状態で、本体枠（図示しない）を外枠９に対して開閉する場合、その開閉動作に伴って本体枠を軸支する外枠９の一側（上下の各開閉軸１２，１３が取り付けられる側）が若干前方へ押し出されると共に、外枠９の他側が若干後方へ押し込まれるようになっている。このため、遊技機を長期間設置した場合には、外枠９が前後方向でずれ込むという不具合が生じ易くなるが、撓み防止装置５０を設けることで、このような外枠９の前後方向でのずれ込みを防止することができる。また、撓み防止装置５０を構成するワイヤ５１、及び規制ボルト５７先端の当接規制片５８が、本発明に係るずれ込み防止部材を構成するようになっている。
【００３７】
図１３に示す撓み防止装置６０は、上部島枠４の後側上面に固定された取付部材６１を備えている。取付部材６１には、側面視でコの字状をなすスライド板６２が上下方向にスライド可能に取り付けられており、該スライド板６２の上辺部分には、取付部材６１との螺合によってスライド板６２のスライド位置を固定する固定ボルト６３が取り付けられている。一方、スライド板６２の下辺部分は、外枠９の上辺部分下面との当接によって外枠９の上辺部分を下面側から押し上げる押上片部６４として形成されている。しかして、撓み防止装置６０は、取付部材６１に対して固定ボルト６３を締め込むことで、スライド板６２を上方へスライド移動させ、これに伴う押上片部６４の上方移動によって外枠９の上辺部分を下面側から押し上げるようになっている。これにより、遊技機固定装置２０による遊技機の固定に伴って生じる外枠９の下方への撓みを防止するようになっている。
【００３８】
また、スライド板６２における外枠９の後面と対向する部分には、規制ボルト６５が設けられており、該規制ボルト６５の先端部分には、外枠９の後面と当接することで外枠９の後方への移動を規制する当接規制片６６が設けられている。これにより、撓み防止装置６０は、前述した撓み防止装置５０と同様に、外枠９の上辺部分における下方への撓みを防止すると共に、外枠９の前後方向でのずれ込みを防止するようになっている。
【００３９】
次に、傾斜角度調整装置１００の構成について、図１４乃至図１６を参照して説明する。図１４（Ａ），（Ｂ）は、それぞれ下部島枠５上に設けられた傾斜角度調整装置１００を示す斜視図である。図１５（Ａ），（Ｂ）は、それぞれ下部島枠５上に設けられた傾斜角度調整装置１００を示す上面図である。図１６（Ａ），（Ｂ）は、それぞれ下部島枠５上に設けられた傾斜角度調整装置１００を示す縦断面図である。
【００４０】
図１４及び図１５に示すように、傾斜角度調整装置１００は、下部島枠５の上面に配置されるほぼ長方形状のベース板１０１と、該ベース板１０１を下部島枠５に対して前後方向（カウンター板６の突設方向とその反対方向）へスライド移動させるスライド移動手段としてのスライド移動機構１０２と、遊技機の外枠９の下側部分をベース板１０１に固定するための外枠固定手段としての外枠固定機構１０３と、から構成されている。ベース板１０１は、その長手方向の寸法（以下、これを横幅寸法ともいう）が外枠９の横幅寸法とほぼ同一に形成されており、後端面には、スライド移動機構１０２を取り付けるための取付凹部１１０が左右２箇所に穿設されている。即ち、ベース板１０１の後端面には、左右２つのスライド移動機構１０２が取り付けられるようになっている。
【００４１】
スライド移動機構１０２は、金属製の長板形状をなしてベース板１０１の後端面（取付凹部１１０と対応する部分）に取り付け固定（例えば、ビス止め等）される取付板１１１と、該取付板１１１に対して前端部分が回転自在に取り付けられるスライド移動軸１１２と、該スライド移動軸１１２の軸芯部分（後述する雄ネジ部１１２ａ）と係合した状態で下部島枠５の上面に取り付け固定（例えば、ビス止め等）される断面Ｌ字状の固定板１１３と、を備えている。
【００４２】
取付板１１１のほぼ中央部分には、スライド移動軸１１２の前端部分を回転自在に取り付ける回転取付部１１１ａが設けられている。一方、スライド移動軸１１２は、雄ネジ部１１２ａが形成されたボルトから構成され、取付板１１１の回転取付部１１１ａに回転自在に取り付けられる前端部分の反対側となる後端部分には、当該スライド移動軸１１２を回転操作するための操作部１１２ｂが設けられている。また、断面Ｌ字状に形成された固定板１１３の立壁部分には、スライド移動軸１１２の雄ネジ部１１２ａと螺合するネジ穴１１３ａが穿設されている。
【００４３】
そして、操作部１１２ｂを回転操作することによって、ネジ穴１１３ａに対して雄ネジ部１１２ａを捻じ込み又は捻じ込み解除することで、固定板１１３に対するスライド移動軸１１２の前後方向への移動が行われ、これに伴ってスライド移動軸１１２の前端部分が回転自在に取り付けられた取付板１１１、言い換えれば取付板１１１が一体的に固定されたベース板１０１が前後方向にスライド移動するようになっている。
【００４４】
外枠固定機構１０３は、ベース板１０１の横幅寸法よりも若干短めの横幅寸法に形成されてベース板１０１の上面前側に取り付け固定（例えば、ビス止め等）される断面Ｌ字状の支持板１２０と、ベース板１０１の上面の左右２箇所にそれぞれ取り付け固定（例えば、ビス止め等）される断面Ｌ字状の固定板１２１（押圧挟持部材）と、該２つの固定板１２１に対してそれぞれ軸芯部分（後述する雄ネジ部１２２ａ）が係合して取り付けられる挟持移動軸１２２（押圧挟持部材）と、を備えている。
【００４５】
断面Ｌ字状に形成された支持板１２０の底壁部分には、固定板１２１をベース板１０１の上面に取り付ける際に当該固定板１２１との干渉を回避するための取付凹部１２０ａが左右２つの固定板１２１と対応して左右２箇所に穿設されている。一方、断面Ｌ字状に形成された固定板１２１の立壁部分には、挟持移動軸１２２の雄ネジ部１２２ａと螺合するネジ穴１２１ａが穿設されている。また、挟持移動軸１２２は、雄ネジ部１２２ａが形成されたボルトから構成され、その後端部分には、当該挟持移動軸１２２を回転操作するための操作部１２２ｂが設けられる一方、前端部分には、支持板１２０の立壁部分との間で外枠９を挟持するための挟持片部１２２ｃが設けられている。
【００４６】
そして、図１６（Ａ），（Ｂ）に示すように、外枠９を外枠固定機構１０３上（支持板１２０及び固定板１２１の各底壁部分上）に載置すると共に、外枠９の下辺部分に取り付けられた装飾カバー板１１の前面を支持板１２０の立壁部分に当接させた状態で、操作部１２２ｂを回転操作することによって、ネジ穴１２１ａに対して雄ネジ部１２２ａを捻じ込み又は捻じ込み解除することで、固定板１２１に対する挟持移動軸１２２の前後方向への移動が行われ、これに伴って挟持移動軸１２２の前端部分となる挟持片部１２２ｃと支持板１２０の立壁部分との間での外枠９の挟持又は挟持解除が行われるようになっている。
【００４７】
なお、傾斜角度調整装置１００を構成するベース板１０１の前方位置における下部島枠５（カウンター板６）の上面には、ベース板１０１の前方へのスライド移動を規制するための移動規制部材１３０が固設されている。また、ベース板１０１の右側方位置における下部島枠５の上面、言い換えれば、隣接する２つの傾斜角度調整装置１００の各ベース板１０１間における下部島枠５の上面には、傾斜角度調整装置１００と対応する遊技機（外枠９）に隣接して設けられる玉貸機２の底面を支承するための支承板１３１が固設されている。
【００４８】
次に、以上説明した傾斜角度調整装置１００によって遊技機（外枠９）を設置空間１０内で傾斜角度の調整を可能に取り付ける手順について説明する。但し、前述した遊技機固定装置２０による外枠９の上辺部分の固定作業は、以下に説明する外枠９の傾斜角度調整装置１００への取り付け作業が完了した後に行われるものである。先ず、外枠９を設置空間１０の前方から傾けた状態で挿し入れる。このとき、遊技機固定装置２０による外枠９の上辺部分の固定は解除された状態にあり、遊技機固定装置２０の下端部分に設けられた揺動体３２は、設置空間１０内へ傾けた状態で挿入される外枠９の上辺部分と干渉しない位置まで退避された状態にある。そして、この状態から外枠９を起立させ、外枠固定機構１０３によって外枠９を支持板１２０と挟持移動軸１２２の挟持片部１２２ｃとの間に挟持することにより、遊技機をベース板１０１上に固定する。そして、この状態から、スライド移動機構１０２の操作部１１２ｂが回転操作されることでスライド移動軸１１２が前後方向に移動し、これに伴ってベース板１０１が下部島枠５上を前後方向へスライド移動する。このため、遊技機（外枠９）は、前述したように上側部分が遊技機固定装置２０によって固定された状態で、下側部分が傾斜角度調整装置１００によって前後方向にスライド移動することになり、これによって、前後方向への傾斜角度（ねかせ角度）が調整されるようになっている。
【００４９】
また、傾斜角度調整装置１００を構成するベース板１０１、スライド移動機構１０２、及び外枠固定機構１０３は、それぞれスピーカ１７を取り付ける外枠９の下辺部分の上面９ａよりも下方位置に配置されている（図１６（Ａ），（Ｂ）参照）。このため、遊技機２の下側裏面に後方へ突出する構成部材（本実施形態では、スピーカ１７）が配置されるような場合であっても、このような構成部材と干渉することなく、遊技機２を傾斜角度調整装置１００に取り付けることができる。
【００５０】
ところで、上記した実施形態の傾斜角度調整装置１００は、各遊技機毎でのみねかせ角度の調整を行う構成としているが、この構成に限定するものではない。例えば、遊技機及び玉貸機を支承するベース板の長手方向の寸法を複数の遊技機と該複数の遊技機に隣接される各玉貸機の横幅寸法の総合計値とほぼ同一に設定すると共にベース板に複数の外枠固定機構を並設することで、これら複数の遊技機及び玉貸機をベース板上に並列して取り付けて、隣接する複数の遊技機のねかせ角度を同時に調整するようにしてもよい。さらには、各遊技機毎でのねかせ角度の調整を行うと共に、隣接する複数の遊技機（以下の説明では、２つの遊技機）のねかせ角度を同時に調整する傾斜角度調整装置の構成としてもよい。以下、このような構成を変形例として図１７乃至図２１を参照して説明する。図１７は、変形例における傾斜角度調整装置２００のベース板２０１、スライド移動機構２０２、及び外枠固定機構２０３を示す斜視図である。図１８（Ａ），（Ｂ）は、それぞれ変形例における傾斜角度調整装置２００のジョイント基板２０４を示す斜視図である。図１９乃至図２１は、それぞれ変形例における傾斜角度調整装置２００が下部島枠５上に設けられた状態を示す斜視図である。なお、以下の説明では、前述した実施形態と同様の機能を有する構成については、便宜的に同一の符号を付記してその詳細な説明を省略するものである。
【００５１】
変形例における傾斜角度調整装置２００は、図１７に示すように、上面視でほぼ凸形状に形成されたベース板２０１と、該ベース板２０１を前後方向（カウンター板６の突設方向とその反対方向）へスライド移動させるスライド移動手段としてのスライド移動機構２０２と、遊技機の外枠９をベース板２０１に固定するための外枠固定手段としての外枠固定機構２０３と、を備えている。ベース板２０１は、その長手方向の寸法（以下、これを横幅寸法ともいう）が外枠９の横幅寸法とほぼ同一に形成されており、後端面には、スライド移動機構２０２を取り付けるための取付凹部２１０が左右２箇所に穿設されている。即ち、ベース板２０１の後端面には、左右２つのスライド移動機構２０２が取り付けられるようになっている。なお、変形例におけるベース板２０１は、前記ベース板１０１のように下部島枠５の上面に配置されるのではなく、傾斜角度調整装置２００を構成する後述のジョイント基板２０４の上面に配置されるようになっている。また、凸形状に形成されたベース板２０１の凸部２０１ａは、遊技島台１に列設される複数の遊技機と個々に対応してその裏面側に配置されるアウト玉回収箱１６（図１９乃至図２１参照）を固定するための固定板部として機能するようになっている。アウト玉回収箱１６は、遊技機から排出された使用済玉を計数し、その後、遊技島台１の玉回収経路となる図示しないアウト玉誘導レールに排出するようになっている。
【００５２】
スライド移動機構２０２は、金属製の長板形状をなしてベース板２０１の後端面（取付凹部２１０と対応する部分）に取り付け固定（例えば、ビス止め等）される取付板２１１と、該取付板２１１に対して前端部分が回転自在に取り付けられるスライド移動軸２１２と、該スライド移動軸２１２の軸芯部分（後述する雄ネジ部２１２ａ）と係合した状態でジョイント基板２０４の上面に取り付け固定（図１７中では、ビス止め固定を例示）される断面Ｌ字状の固定板２１３と、を備えている。
【００５３】
取付板２１１のほぼ中央部分には、スライド移動軸２１２の前端部分を回転自在に取り付ける回転取付部２１１ａが設けられている。一方、スライド移動軸２１２は、雄ネジ部２１２ａが形成されたボルトから構成され、取付板２１１の回転取付部２１１ａに回転自在に取り付けられる前端部分の反対側となる後端部分には、当該スライド移動軸２１２を回転操作するための操作部２１２ｂが設けられている。また、断面Ｌ字状に形成された固定板２１３の立壁部分には、スライド移動軸２１２の雄ネジ部２１２ａと螺合するネジ穴２１３ａが穿設されている。
【００５４】
そして、操作部２１２ｂを回転操作することによって、ネジ穴２１３ａに対して雄ネジ部２１２ａを捻じ込み又は捻じ込み解除することで、固定板２１３に対するスライド移動軸２１２の前後方向への移動が行われ、これに伴ってスライド移動軸２１２の前端部分が回転自在に取り付けられた取付板２１１、言い換えれば取付板２１１が一体的に固定されたベース板２０１が前後方向にスライド移動するようになっている。
【００５５】
外枠固定機構２０３は、ベース板２０１の横幅寸法よりも若干短めの横幅寸法に形成されてベース板２０１の上面前側に取り付け固定（図１７中では、ビス止め固定を例示）される断面Ｌ字状の支持板２２０と、ベース板２０１の上面の左右２箇所にそれぞれ取り付け固定（図１７中では、ビス止め固定を例示）される断面Ｌ字状の固定板２２１（押圧挟持部材）と、該２つの固定板２２１に対してそれぞれ軸芯部分（後述する雄ネジ部２２２ａ）が係合して取り付けられる挟持移動軸２２２（押圧挟持部材）と、を備えている。
【００５６】
断面Ｌ字状に形成された支持板２２０の底壁部分には、固定板２２１をベース板２０１の上面に取り付ける際に当該固定板２２１との干渉を回避するための取付凹部２２０ａが左右２つの固定板２２１と対応して左右２箇所に穿設されている。一方、断面Ｌ字状に形成された固定板２２１の立壁部分には、挟持移動軸２２２の雄ネジ部２２２ａと螺合するネジ穴２２１ａが穿設されている。また、挟持移動軸２２２は、雄ネジ部２２２ａが形成されたボルトから構成され、その後端部分には、当該挟持移動軸２２２を回転操作するための操作部２２２ｂが設けられる一方、前端部分には、支持板２２０の立壁部分との間で外枠９を挟持するための挟持片部２２２ｃが設けられている。
【００５７】
そして、外枠９を外枠固定機構２０３上（支持板２２０及び固定板２２１の各底壁部分上）に載置すると共に、外枠９の下辺部分に取り付けられた装飾カバー板１１の前面を支持板２２０の立壁部分に当接させた状態で、操作部２２２ｂを回転操作することによって、ネジ穴２２１ａに対して雄ネジ部２２２ａを捻じ込み又は捻じ込み解除することで、固定板２２１に対する挟持移動軸２２２の前後方向への移動が行われ、これに伴って挟持移動軸２２２の前端部分となる挟持片部２２２ｃと支持板２２０の立壁部分との間での外枠９の挟持又は挟持解除が行われるようになっている。
【００５８】
また、変形例における傾斜角度調整装置２００は、図１８（Ａ），（Ｂ）に示すように、隣接する２つの遊技機を同時にスライド移動するためのジョイント基板２０４及びジョイントスライド移動手段としてのジョイントスライド移動機構２０５を備えている。ジョイント基板２０４は、その長手方向の寸法（以下、これを横幅寸法ともいう）が外枠９の横幅寸法に玉貸機２の横幅寸法を加えた値を２倍にした寸法とほぼ同一に形成されており、後端面には、ジョイントスライド移動機構２０５を取り付けるための取付凹部２３０が左右２箇所に穿設されている。即ち、ジョイント基板２０４の後端面には、左右２つのジョイントスライド移動機構２０５が取り付けられるようになっている。なお、ジョイント基板２０４は、下部島枠５の上面に配置されるようになっている。また、ジョイント基板２０４の長手方向における一側端部（図１８に示す右側端部）及びほぼ中央部には、それぞれ下部島枠５上に固設されて玉貸機２の底面を支承するための支承板２０６との干渉を避けるための切欠部２３１が穿設されている。
【００５９】
ジョイントスライド移動機構２０５は、金属製の長板形状をなしてジョイント基板２０４の後端面（取付凹部２３０と対応する部分）に取り付け固定（例えば、ビス止め等）される取付板２３２と、該取付板２３２に対して前端部分が回転自在に取り付けられるスライド移動軸２３３と、該スライド移動軸２３３の軸芯部分（後述する雄ネジ部２３３ａ）と係合した状態で下部島枠５の上面に取り付け固定（例えば、ビス止め等）される断面Ｌ字状の固定板２３４と、を備えている。
【００６０】
取付板２３２のほぼ中央部分には、スライド移動軸２３３の前端部分を回転自在に取り付ける回転取付部２３２ａが設けられている。一方、スライド移動軸２３３は、雄ネジ部２３３ａが形成されたボルトから構成され、取付板２３２の回転取付部２３２ａに回転自在に取り付けられる前端部分の反対側となる後端部分には、当該スライド移動軸２３３を回転操作するための操作部２３３ｂが設けられている。また、断面Ｌ字状に形成された固定板２３４の立壁部分には、スライド移動軸２３３の雄ネジ部２３３ａと螺合するネジ穴２３４ａが穿設されている。
【００６１】
そして、操作部２３３ｂを回転操作することによって、ネジ穴２３４ａに対して雄ネジ部２３３ａを捻じ込み又は捻じ込み解除することで、固定板２３４に対するスライド移動軸２３３の前後方向への移動が行われ、これに伴ってスライド移動軸２３３の前端部分が回転自在に取り付けられた取付板２３２、言い換えれば取付板２３２が一体的に固定されたジョイント基板２０４が前後方向にスライド移動するようになっている。
【００６２】
なお、傾斜角度調整装置２００を構成するベース板２０１及びジョイント基板２０４の前方位置における下部島枠５（カウンター板６）の上面には、ベース板２０１及びジョイント基板２０４の前方へのスライド移動を規制するための移動規制部材２４０が固設されている。
【００６３】
しかして、以上説明した傾斜角度調整装置２００は、図１９に示すように、外枠固定機構２０３によって遊技機の外枠９を支持板２２０と挟持移動軸２２２の挟持片部２２２ｃとの間に挟持することにより、遊技機をベース板２０１上に固定する。そして、この状態から、図２０に示すように、スライド移動機構２０２の操作部２２２ｂが回転操作されることでスライド移動軸２２２が前後方向に移動し、これに伴ってベース板２０１がジョイント基板２０４上を前後方向へスライド移動する。このため、遊技機（外枠９）は、上側部分が遊技機固定装置２０によって固定された状態で、下側部分が傾斜角度調整装置２００によって前後方向にスライド移動することになり、これによって、前後方向への傾斜角度（ねかせ角度）が調整されるようになっている。また、このような構成に加えて、変形例の傾斜角度調整装置２００では、図２１に示すように、ジョイントスライド移動機構２０５の操作部２３３ｂが回転操作されることでスライド移動軸２３３が前後方向に移動し、これに伴ってジョイント基板２０４が下部島枠５上を前後方向へスライド移動する。このため、ジョイント基板２０４上で隣接する２つの遊技機（外枠９）は、上記したスライド移動機構２０２による個々の遊技機（外枠９）毎のねかせ角度の調整に加えて、ジョイントスライド移動機構２０５によるねかせ角度の同時調整が可能となっている。
【００６４】
また、傾斜角度調整装置２００を構成するベース板２０１、スライド移動機構２０２、外枠固定機構２０３、ジョイント基板２０４、及びジョイントスライド移動機構２０５は、それぞれスピーカ１７を取り付ける外枠９の下辺部分の上面９ａよりも下方位置に配置されている（図１９乃至図２１参照）。このため、遊技機２の下側裏面に後方へ突出する構成部材（本実施形態では、スピーカ１７）が配置されるような場合であっても、このような構成部材と干渉することなく、遊技機２を傾斜角度調整装置２００に取り付けることができる。
【００６５】
以上のように、本実施形態の構成によれば、遊技機の外枠９に対してその上側部分を遊技機固定装置２０で固定する。一方、外枠９の下側部分に対しては、傾斜角度調整装置１００を構成するベース板１０１上で外枠９の前面を支持板１２０によって支持し、この状態から押圧挟持部材を構成する挟持移動軸１２２によって外枠９の裏面に前方への押圧力を加えて支持板１２０と挟持移動軸１２２との間で外枠９を挟持する。そして、スライド移動機構１０２によってベース板１０１を前後方向にスライド移動させることで、遊技機の傾斜角度（ねかせ角度）を調整する。これにより、外枠９の下側部分を強引に移動させることなく、スライド移動機構１０２によってスライド移動させた分だけ遊技機の傾斜角度を変更することができるので、各種構成部材の破損を招来することなく遊技機を所望のねかせ角度に調整することができる。
【００６６】
また、外枠９の下側部分を下部島枠５に対して前後方向にスライド移動可能に取り付けるベース板１０１、外枠固定機構１０３、及びスライド移動機構１０２を、それぞれスピーカ１７を取り付ける外枠９の下辺部分の上面９ａよりも下方位置に配置することで、外枠の下辺部分の上面９ａの位置となる遊技機の下側裏面に後方へ突出する構成部材（本実施形態では、スピーカ１７）が配置されるような場合であっても、このような構成部材と干渉することなく、遊技機を傾斜角度調整装置１００に取り付けることができる。
【００６７】
また、ベース板２０１に設けられた固定板部としての凸部２０１ａに、遊技機の裏面側に配置されるアウト玉回収箱１６を固定することができる。これにより、遊技機のねかせ角度を調整する際にベース板２０１が後方へスライド移動するような場合、このベース板２０１の後方へのスライド移動に伴ってアウト玉回収箱１６も同様に後方へスライド移動させることができるので、ベース板２０１がアウト玉回収箱１６に衝突してアウト玉回収箱１６を破損させてしまうような不具合を回避することができる。また、このようにベース板２０１とアウト玉回収箱１６との衝突を回避することで、アウト玉回収箱１６に不要な振動を与えることがないので、アウト玉回収箱１６に玉計数機能を持たせた構成（例えば、リードスイッチと歯車からなる玉計数器を備えた構成）とした場合でも、不要な振動によって誤計数することを回避できる。
【００６８】
また、ベース板１０１の上面に複数の外枠固定機構１０３を並設することで、ベース板１０１上に当該複数の外枠固定機構１０３と対応した複数の外枠９、言い換えれば複数の遊技機を並列して取り付ける。これにより、スライド移動機構１０２によってベース板１０１を前後方向にスライド移動させることで、複数の遊技機のねかせ角度を一括して同時に調整することができる。
【００６９】
また、下部島枠５上に配置されたジョイント基板２０４に複数のベース板２０１を並設すると共に、当該複数のベース板２０１と対応させて外枠固定機構２０３及びスライド移動機構２０２をそれぞれ複数設けて、スライド移動機構２０２によって個々のベース板２０１をジョイント基板２０４に対して前後方向にスライド移動させることで、複数の遊技機のねかせ角度を個々に調整することができる。さらには、ジョイントスライド移動機構２０５によってジョイント基板２０４を下部島枠５に対して前後方向にスライド移動可能に設けることで、複数の遊技機のねかせ角度を一括して同時に調整することも可能になる。
【符号の説明】
【００７０】
１  遊技島台
２  玉貸機
４  上部島枠
５  下部島枠
８  間仕切り
９  外枠
９ａ  上面
１０  設置空間
１６  アウト玉回収箱
１７  スピーカ
２０  遊技機固定装置
１００  傾斜角度調整装置
１０１  ベース板
１０２  スライド移動機構（スライド移動手段）
１０３  外枠固定機構（外枠固定手段）
１１２  スライド移動軸
１２０  支持板
１２１  固定板（押圧挟持部材）
１２２  挟持移動軸（押圧挟持部材）
２００  傾斜角度調整装置
２０１  ベース板
２０１ａ  凸部（固定板部）
２０２  スライド移動機構（スライド移動手段）
２０３  外枠固定機構（外枠固定手段）
２０４  ジョイント基板
２０５  ジョイントスライド移動機構（ジョイントスライド移動手段）
２１２  スライド移動軸
２２０  支持板
２２１  固定板（押圧挟持部材）
２２２  挟持移動軸（押圧挟持部材）
２３３  スライド移動軸
２３４  固定板
【図１】
2011217799.tif 000003
【図２】
2011217799.tif 000004
【図３】
2011217799.tif 000005
【図４】
2011217799.tif 000006
【図５】
2011217799.tif 000007
【図６】
2011217799.tif 000008
【図７】
2011217799.tif 000009
【図８】
2011217799.tif 000010
【図９】
2011217799.tif 000011
【図１０】
2011217799.tif 000012
【図１１】
2011217799.tif 000013
【図１２】
2011217799.tif 000014
【図１３】
2011217799.tif 000015
【図１４】
2011217799.tif 000016
【図１５】
2011217799.tif 000017
【図１６】
2011217799.tif 000018
【図１７】
2011217799.tif 000019
【図１８】
2011217799.tif 000020
【図１９】
2011217799.tif 000021
【図２０】
2011217799.tif 000022
【図２１】
2011217799.tif 000023